(57)【特許請求の範囲】
【請求項１】
裏面に複数の係止部が形成されたキートップと、該キートップの下方に配置され、基端部と該基端部の両端から延設された互いに対向する一対の腕部とをそれぞれ有し、前記一対の腕部の略中央部分を交差部位として回動自在に連結した第１レバーおよび第２レバーと、前記第１、第２レバーの各下端部を係支可能なレバー取付板と、前記第１、第２レバーの前記各基端部間に跨って取付けられた略長方形の平板状をした基部を有するアクチュエータ部材とを備え、前記キートップの前記係止部は、前記アクチュエータ部材に係合して、前記キートップの裏面で前記アクチュエータ部材を支持し、前記アクチュエータ部材の一端部には、断面がＣ字形状で下方が開放された係支溝部が形成されると共に、前記基部の長手方向の他端部には、断面が略凹状で上方が開放された長溝を有する摺動係支受け部が形成されており、前記摺動係支受け部に前記第２レバーの前記基端部を摺動可能に係支すると共に、前記係支溝部に前記第１レバーの前記基端部を下方からスナップインさせて回動可能に嵌着したことを特徴とするキースイッチ装置。
【請求項２】
前記第１レバーの前記基端部には、その中央に前記アクチュエータ部材の一端部を係支する支持受け部が形成され、該支持受け部の両端側に前記キートップの前記係止部を係止させる係止受け部が形成され、前記キートップの前記係止部と前記第１レバーの前記係止受け部とを対向させて係止する部分の断面を二つ巴形状に形成したことを特徴とする請求項１記載のキースイッチ装置。
【請求項３】
前記キートップの前記係止部は、該キートップの前記裏面に突出形成された、一対の第１係止部および一対の第２係止部とからなり、前記キートップの前記裏面には、互いに対向する前記第２係止部の外方側の近傍に前記裏面に突出形成された一対の第１リブと、前記第１係止部間を除く前記第１係止部の近傍に、前記第１リブと平行方向に延設された第２リブとを備え、前記第１リブと前記第２リブとにより、前記第１レバーの前記一対の腕部、前記アクチュエータ部材の他端部をそれぞれガイドして前記キートップを前記第１レバーおよび前記アクチュエータ部材に挿着するようにしたことを特徴とする請求項１または請求項２のキースイッチ装置。
【請求項４】
前記アクチュエータ部材は、前記一端部が前記第１レバーの前記基端部を回動可能に軸支し、前記アクチュエータ部材の前記他端部の下部隅部を斜めにカット形成したことを特徴とする請求項３に記載のキースイッチ装置。
【請求項５】
前記キートップは前記第１、第２レバーに支持されて昇降自在であり、前記キートップの昇降動作に伴いスイッチング動作可能なスイッチ部材と、前記第１、第２レバーの各下端部をそれぞれ係支する前記レバー取付板に設けられた係支部とを備え、前記レバー取付板の前記係支部は、前記第１レバーの前記下端部を摺動可能に係支する下部摺動係支部と、前記第２レバーの下端部を回動可能に軸支する係支体部とからなり、前記第１レバーの前記下端部には、前記下部摺動係支部から前記第１レバーの前記下端部を抜止めするための抜止め部を形成したことを特徴とする請求項１記載のキースイッチ装置。
【請求項６】
前記抜止め部は、前記第１レバーの下端部に突出形成されたＬ字状をした係支ピンであって、該係支ピンを前記下部摺動係支部に係支したことを特徴とする請求項５に記載のキースイッチ装置。
【請求項７】
前記キートップは前記第１、第２レバーに支持されて昇降自在であり、前記キートップの昇降動作に伴いスイッチング動作可能なスイッチ部材と、前記第１、第２レバーの各下端部をそれぞれ係支する前記レバー取付板に設けられた係支部とを備え、前記第１、第２レバーは、前記キートップの上下動を案内支持する、基端部と該基端部の両端から延設された互いに対向する一対の腕部とをそれぞれ有し、前記レバー取付板の前記係支部は、前記第１レバーの前記下端部を摺動可能に係支する下部摺動係支部と、前記第２レバーの前記下端部を回動可能に軸支する係支体部とからなり、前記第１レバーの前記下端部は、前記レバー取付板の上面を摺動する端面を前記各腕部の延長方向に対して鋭角となるように斜めにカット形成したことを特徴とする請求項１記載のキースイッチ装置。
【請求項８】
前記アクチュエータ部材には、前記基部の長手方向の一端部側の裏面に、前記基部から突出して対向するように一対の係止突起が形成され、該一対の係止突起の間に貫通した係止孔部が形成され、該係止孔部に沿って前記アクチュエータ部材の一端部に前記係支溝部が形成されると共に、前記一対の係止突起及び前記係支溝部に前記第１レバーの前記基端部を下方からスナップインさせて回動可能に嵌着したことを特徴とする請求項１記載のキースイッチ装置。
【発明の詳細な説明】
【０００１】
【発明の属する技術分野】
本発明はパーソナルコンピュータやワードプロセッサ等の各種入力装置として用いられるキースイッチ装置に係り、特に、ノート型のパーソナルコンピュータなどの小型・薄型に対応したキースイッチ装置に関する。
【０００２】
【従来の技術】
近年、キースイッチ装置は、装置全体の薄型化・小型化の要求に伴い、交差状にリンク結合させた一対のレバー部材の上端部にキートップを取付け、このキートップの昇降動作によって、一対のレバー部材のリンク交差する部分の角度が変化するようにしたものが各種提案されている。
【０００３】
この種の従来のキースイッチ装置を図２６乃至図２９に基づいて、以下に説明する。
図２６に示すように、従来のキースイッチ装置は、キートップ１０１と、このキートップ１０１の下方に配置されたホルダ部材１３０と、このホルダ部材１３０から離間した上昇位置とホルダ部材１３０に近接した降下位置との間でキートップ１０１を案内支持する案内支持部材１０６と、キートップ１０１とホルダ部材１３０との間に配設されたラバースプリング１３１とから主に構成されている。
【０００４】
上記キートップ１０１は、図２６および図２７に示すように、上面に文字（不図示）が印刷により形成され、裏面にそれぞれ一対の回動係止部１０１ａ、摺動係支部１０１ｂが設けられている。そして、一対の回動係止部１０１ａには係止溝１０４が形成されており、また、一対の摺動係支部１０１ｂには係支溝１０５が形成されている。
【０００５】
上記案内支持部材１０６は、２つの樹脂製のレバー部材１０７、１０８からなり、図２８に示すように、一方のコ字状のレバー部材１０７は、一対の腕部１０７ａと、各腕部１０７ａの一端部どうしを連結する基端部１０７ｂとを有している。各腕部１０７ａの各他端部には係支ピン１０７ｄが突出形成されていて、各腕部１０７ａの中央部分の内側には軸体１０７ｃが突出形成されている。
【０００６】
他方のレバー部材１０８は、図２９に示すように、一対の腕部１０８ａと、各腕部１０８ａの一端部どうしを連結する基端部１０８ｂと、各腕部１０８ａの各他端部に形成された係支ピン１０８ｄと、各腕部１０８ａの中央部分の内側間を一体に連結する押下軸１１０とを有している。各腕部１０８ａの中央部分の外側には、それぞれ軸孔１０８ｃが形成されていて、各腕部１０８ａの一端部の外側には、係止ピン１０８ｅが突出形成されている。
【０００７】
上記ホルダ部材１３０は、図２６および図２７に示すように、金属製の平板からなり、表面から切り起こし形成された、一対の取付部１２６と一対の係止部１２７とを有している。なお、ホルダ部材１３０の上面には、複数の開口部１３２ａを有する金属製のフレーム１３２が配置され、取付部１２６，係止部１２７がフレーム１３２の開口部１３２ａから上方に突出している。
【０００８】
そして、一方のレバー部材１０７の基端部１０７ｂはキートップ１０１の回動係止部１０１ａの係止溝１０４内に回動可能に係止され、係支ピン１０７ｄはホルダ部材１３０の取付部１２６に摺動可能に係支される。
また、他方のレバー部材１０８の係支ピン１０８ｄはキートップ１０１の摺動係支部１０１ｂの係支溝１０５に摺動可能に係支され、係止ピン１０８ｅは、ホルダ部材１３０の係止部１２７に回動可能に係止されるものである。
【０００９】
次に、このキースイッチ装置の組み立てを説明すると、ホルダ部材１３０に図示しない導電性フィルムシートを載置する。なお、このシートにはあらかじめラバースプリング１３１が貼付けられている。
そして、シートからは、ホルダ部材１３０の取付部１２６，係止部１２７が、フレーム１３２の開口部１３２ａから上方に突出している。
【００１０】
次に、一方のレバー部材１０７と他方のレバー部材１０８とを交差状に組み合わせて、各軸体１０７ｃを軸孔１０８ｃ内に挿通して回動するようにして案内支持部材１０６を完成させる。
次に、レバー部材１０８の係止ピン１０８ｅをホルダ部材１３０の係止部１２７の孔内に圧入するとともに、係支ピン１０７ｄを取付部１２６内に摺動させて係支させる。このとき、押下軸１１０がラバースプリング１３１の上面に位置する。
【００１１】
次に、キートップ１０１を準備して、このキートップ１０１を斜め上方（図２６の右側上方）方向からレバー部材１０８の各係支ピン１０８ｄに対し押し下げて弾接させ、キートップ１０１の係支溝１０５をレバー部材１０８の係支ピン１０８ｄ内に、おおよその見当をつけ、手探り状態で挿通させる。
さらに、キートップ１０１をレバー部材１０７，１０８の上端部分（基端部１０７ｂ、係支ピン１０８ｄ）に対して上方から押圧し、キートップ１０１の係止溝１０４をレバー部材１０７の基端部１０７ｂにスナップインさせる。
こうして、キースイッチ装置が完成する。
【００１２】
次に、キースイッチ装置の動作について説明すると、図２６において、キートップ１０１を押下すると、一方のレバー部材１０７の基端部１０７ｂは回動係止部１０１ａの係止溝１０４内で回動するとともに、他方のレバー部材１０８の係支ピン１０８ｄは摺動係止部１０１ｂの係止溝１０５内で水平方向（図２６の左右方向）に摺動する。これと同時に、レバー部材１０８の基端部１０８ｂはホルダ部材１３０の係止部１２７の係止孔内で回動するとともに、レバー部材１０７の係支ピン１０７ｄは摺動係止する取付部１２６内で水平方向（図２６の左右方向）に摺動する。
【００１３】
この結果、レバー部材１０７及び１０８を相互に軸支する軸支部Ａは、下方に移動するとともに、押下軸１１０によりラバースプリング１３１を徐々に押下していき、ラバースプリング１３１は挫屈される。これにより、ラバースプリング１３１内の可動接点（図示せず）がホルダ部材１３０上の固定接点パターン（図示せず）を短絡し所定のスイッチング動作が行われる。
また、キートップ１０１の下方への押圧を解除すると、両方のレバー部材１０７，１０８の軸支部Ａはラバースプリング１３１の弾性復元力により上方に押し上げられ、上述した場合と逆の動作（スイッチオフ動作）を行い、この結果として、キートップ１０１は元の位置に復帰される。
【００１４】
【発明が解決しようとする課題】
ところで、レバー部材１０７，１０８に取り付けたキートップ１０１には、その表面に異なる文字や記号がそれぞれ印刷形成されている。
そして、あらかじめキースイッチ装置を組み立てておいてから、必要に応じて、バラエティーに富んだ種々のキートップ１０１を組み立て中または組み立て後に交換することが要求される。そして、キートップ１０１をレバー部材１０７，１０８から取り外す際に、レバー部材１０７，１０８の交差状部分の角度を保持した状態でキートップ１０１の交換作業をしなければならず、専用の治具等を用いないと極めて煩雑な作業となっていた。
【００１５】
また、キースイッチ装置を組み立てる際には、先ず、レバー部材１０７とレバー部材１０８とを交差状にした案内支持部材１０６を組み立てた後、レバー部材１０８の両係止ピン１０８ｅ、１０８ｅをホルダ部材１３０の係止部１２７内に圧入する。
【００１６】
そして、一方のレバー部材１０７の係支ピン１０７ｄ，１０７ｄを両取付部１２６、１２６内に挿入して、レバー部材１０７，１０８がホルダ部材１３０に組み込まれる。しかしながら、この組み込み作業では、樹脂からなる細長のレバー部材１０７が簡単に撓むため、ホルダ部材１３０表面を摺動する係支ピン１０７ｄ，１０７ｄが取付部１２６から簡単に抜けてしまうおそれがあった。
なお、キースイッチ装置として動作する際にも、レバー部材１０７の各係支ピン１０７ｄはレバー取付板１３０の取付部１２６に摺動可能に係支されているが、各係支ピン１０７ｄが長手方向に単に延設されているだけなので、各係支ピン１０７ｄが摺動の際に、この取付部１２６からはずれてしまうおそれがあった。
【００１７】
また、レバー部材１０７の基端部１０７ｂにはキートップ１０１の回動係止部１０１ａが係止孔１０４を介してスナップ止めされるが、回動係止部１０１ａのスナップ止め部分の下方側が開放されているため、キートップ１０１に上方へ押し上げる外力が加わると、キートップ１０１がレバー部材１０７から簡単に外れてしまうという問題があった。
【００１８】
また、レバー部材１０７およびレバー部材１０８にキートップ１０１を組み込む際に、キートップ１０１の裏面側に設けられた係止孔１０４，および係止溝１０５を下方側にして目で直接確認できない状態で組み立てられるため、その組み立て作業が煩雑に行われていた。
【００１９】
また、ホルダ部材１３０の係止部１２７にレバー部材１０８の基端部１０８ｂを挿入して組み立てる際に、ホルダ部材１３０の表面においてレバー部材１０８の基端部１０８ｂとの摺接部分が引っかかって、スムーズに挿入できないおそれがあった。
【００２０】
本発明の目的は、交差状をしたレバー部材にキートップを取り付けする際に、その組み込み作業をより簡単にしたキースイッチ装置を提供することにある。
【００２１】
【課題を解決するための手段】
上記課題の少なくとも１つを解決するための第１の解決手段として、裏面に係止部が形成されたキートップと、キートップの下方に配置され、基端部と基端部の両端から延設された互いに対向する一対の腕部とをそれぞれ有し、一対の腕部の略中央部分を交差部位として回動自在に連結した第１レバーおよび第２レバーと、第１、第２レバーの各下端部を係支可能なレバー取付板と、第１、第２レバーの各基端部間に跨って取付けられた略長方形の平板状をした基部を有するアクチュエータ部材とを備え、アクチュエータ部材の一端部には断面がＣ字形状となる丸溝が形成されると共に、基部の長手方向の他端部に、断面が略凹状で上方が開放され溝状をした長溝を有する摺動係支受け部が形成されており、摺動係支受け部に第２レバーの基端部を摺動可能に係支すると共に、丸溝からなる長溝部に第１レバーの基端部をスナップインさせて嵌着したものである。
【００２２】
また、第２の解決手段として、第１レバーの基端部には、その中央にアクチュエータ部材の一端部を係支する支持受け部が形成され、該支持受け部の両端側にキートップの係止部を係止させる係止受け部が形成され、キートップの係止部と第１レバーの係止受け部とを対向させて係止する部分の断面を二つ巴形状に形成したものである。
【００２３】
また、第３の解決手段として、キートップの係止部は、キートップの裏面に突出形成された、一対の第１係止部および一対の第２係止部とからなり、キートップの裏面は、互いに対向する第２係止部の外方側の近傍に裏面に突出形成された一対の第１リブと、係止部間を除く第１係止部の近傍に、第１リブと平行方向に延設された第２リブとを備え、
第１リブと第２リブとにより、第１レバーの一対の腕部、アクチュエータ部材の他端部をそれぞれガイドしてキートップを第１レバーおよびアクチュエータ部材に挿着するようにしたことものである。
【００２４】
また、第４の解決手段として、アクチュエータ部材は、一端部が第１レバーの基端部を回動可能に軸支し、アクチュエータ部材の他端部の下部隅部を斜めにカット形成したものである。
【００２５】
また、第５の解決手段として、キートップは第１、第２レバーに支持されて昇降自在であり、キートップの昇降動作に伴いスイッチング動作可能なスイッチ部材と、第１、第２レバーの各下端部をそれぞれ係支するレバー取付板に設けられた係支部とを備え、レバー取付板の係支部は、第１レバーの下端部を摺動可能に係支する下部摺動係支部と、第２レバーの下端部を回動可能に軸支する係支体部とからなり、第１レバーの下端部には、下部摺動係支部から第１レバーの下端部を抜止めするための抜止め部が形成されたものである。
【００２６】
また、第６の解決手段として、抜止め部は、第１レバーの下端部に突出形成されたＬ字状をした係支ピンであって、該係支ピンを下部摺動係支部に係支したものである。
【００２７】
また、第７の解決手段として、キートップは第１、第２レバーに支持されて昇降自在であり、キートップの昇降動作に伴いスイッチング動作可能なスイッチ部材と、第１、第２レバーの各下端部をそれぞれ係支するレバー取付板に設けられた係支部とを備え、第１、第２レバーは、キートップの上下動を案内支持する、基端部と基端部の両端から延設された互いに対向する一対の腕部とをそれぞれ有し、レバー取付板の係支部は、第１レバーの下端部を摺動可能に係支する下部摺動係支部と、第２レバーの下端部を回動可能に軸支する係支体部とからなり、第１レバーの下端部は、レバー取付板の上面を摺動する端面を各腕部の延長方向に対して鋭角となるように斜めにカット形成したものである。
また、第８の解決手段として、アクチュエータ部材には、基部の長手方向の一端部側の裏面に、基部から突出して対向するように一対の係止突起が形成され、一対の係止突起の間に貫通した係止孔部が形成され、係止孔部に沿ってアクチュエータ部材の一端部に丸溝が形成されると共に、一対の係止突起及び丸溝からなる長溝部に第１レバーの基端部をスナップインさせて嵌着したものである。
【００２８】
【発明の実施の形態】
本発明の一実施形態であるキースイッチ装置を図１乃至図２５に基づいて以下に説明する。
このキースイッチ装置は、図１に示すように、樹脂製からなるキートップ１１と、キートップ１１の下方に配置されたレバー取付板１５と、キートップ１１をレバー取付板１５から離間させた上昇位置とレバー取付板１５に近接させた降下位置との間で、キートップ１１を案内支持するリンク部材２０と、リンク部材２０の下方で、かつレバー取付板１５の上方に取り付けられたスイッチ部材３０と、から主に構成されている。
【００２９】
上記キートップ１１は、図３乃至図５に示すように、外形が略矩形状に形成され、上面にアルファベット等の文字（不図示）が印刷により形成された操作面１１ａ（図５参照）と、前方（図５中の左側）に斜めに形成された傾斜面部１１ｂと、後方にほぼ直角に形成された背面部１１ｃと、操作面１１ａの下方に操作面１１ａとほぼ平行に形成された裏面１１ｄと、裏面１１ｄ側の外周縁部分に形成された外周縁面１１ｅとを有している。
【００３０】
裏面１１ｄの前後側（図４中の左右方向の両側）には、所定の間隔を有して対向配置された一対のフック状の第１係止部１１ｆと、第１係止部１１ｆ間よりも幅広に対向配置された一対のフック状の第２係止部（係止部）１１ｇとがそれぞれ下方に突出して一体形成されている。
キートップ１１の裏面１１ｄには、互いに対向する第２係止部１１ｇの外方側の近傍に裏面１１ｄから突出形成された一対の第１リブ１１ｊが、第１係止部１１ｆ間を除く第１係止部１１ｇの近傍に、第１リブ１１ｊと平行に延設された第２リブ１１ｈが、それぞれ外周縁面１１ｅと面一に一体形成されている。
【００３１】
上記リンク部材２０は、図１および図２１Ａ、２１Ｂに示すように、一対のレバー部材（第１レバー２４、第２レバー２５）２３と、１つのアクチュエータ部材２６とから構成されている。
【００３２】
上記第１レバー（外側レバー）２４は、図９乃至図１８に示すように、樹脂製からなり、基端部２４ａと、この基端部２４ａの両端から一体に延設された互いに対向する一対の腕部２４ｂとから略コ字状に形成されている。
各腕部２４ｂの先端部（他端部）は自由端となり、この先端部には外方に突出形成された一対の係支ピン（抜止め部）２４ｃを有している。
詳述すると、係支ピン２４ｃは、腕部２４ｂの先端部側の外壁に基端部２４ａの長手方向と平行に延設された摺接部２４ｃ１と、その摺接部２４ｃ１の先端から上方に向けて略直角に折れ曲がった先端部２４ｃ２とを有している（図１１参照）。
また、腕部２４ｂの先端部（下端部）には、図１３および図１５に示すように、その端面を各腕部２４ｂの延長方向（延長線Ｌ）に対して鋭角（θ）となるように斜めにカットした傾斜面部２４ｕが形成されている。
【００３３】
上記基端部２４ａは、図１６に示すように、その中央部分に断面が円形状となる細径の支持受け部２４ｅが形成されていて、この支持受け部２４ｅの両端側には断面が略Ｌ字状をした係止受け部２４ｆが形成されている（図１８参照）。
上記各係止受け部２４ｆにはキートップ１１の一対の第２係止部１１ｇが強固に嵌着するようになっていて、この第１レバー２４の係止受け部２４ｆとキートップ１１の第２係止部１１ｇとを対向させることにより、その係止する部分の断面が二つ巴形状（図１８参照）となっている。
各腕部２４ｂのほぼ中央の内側壁には、図１７に示すように、裏面側から切欠いた係合溝２４ｄ、２４ｄが互いに対向するように形成されている。
【００３４】
上記第２レバー（内側レバー）２５は、中央が開口部分となる樹脂製の長方形の枠体からなり、図１９Ａ、１９Ｂに示すように、互いに平行な基端部２５ａ、基軸部２５ｃと、同じく互いに平行で、且つ基端部２５ａと基軸部２５ｃの両端部同士を一体に連結する一対の腕部２５ｂとから形成されている。
各腕部２５ｂのほぼ中央の外壁側には、外方に突出した一対の係合軸２５ｄが形成されている。
各腕部２５ｂの基軸部２５ｃ側の外側壁には、下部回動係支突起２５ｅがそれぞれ突出して形成されている。
そして、各係合軸２５ｄが第１レバー２４の係合溝２４ｄ内に係合することで交差部位Ｓ（図１参照）が形成され、第１レバー２４と第２レバー２５とが互いにこの交差部位Ｓを介して回動自在となっている。なお、第２レバー２５の下端部として、上記基軸部２５ｃ側が位置している。
【００３５】
次に、上記アクチュエータ部材２６は、樹脂製からなり、図２０Ａおよび図２０Ｂに示すように、略長方形の平板状をした基部２６ａを有している。この基部２６ａには、裏面中央に円形でかつ薄肉状にしたラバーキャップ当接部２６ｂが形成されている。
【００３６】
そして、基部２６ａの長手方向の一端部側（図２０Ａ中の右側）の裏面には、基部２６ａから突出した略矩形状の係止突起２６ｄが一体に形成され、また、係止突起２６ｄの中央の内方側に、係止突起２６ｄと対向するように、基部２６ａの裏面から突出した第２係止突起２６ｋが一体に形成されている。
そして、係止突起２６ｄと第２係止突起２６ｋ間の基部２６ａには、略矩形状の係止孔部２６ｅが貫通して形成され、また、係止孔部２６ｅに沿ってアクチュエータ部材２６の一端部には断面がＣ字形状となる丸溝２６ｇが形成されている。
【００３７】
また、基部２６ａの長手方向の他端部（図２０Ａ中の左側）には、断面が略凹状をした上部摺動受け部（摺動係支受け部）２６ｃが設けられ、この上部摺動受け部２６ｃは、上方が開放され溝状をした長溝２６ｍを有している。
さらに、上部摺動受け部２６ｃの外方端面（図２０Ａ中の左側端面）の中央部分には係合突起２６ｔが突出形成され、この係合突起２６ｔの両側には係止受け部２６ｓがそれぞれ形成されている。
また、上部摺動受け部２６ｃの係合突起２６ｔの下部隅部には斜めにカットした傾斜面部２６ｕとなっている。
【００３８】
次に、上記レバー取付板１５は、図６乃至図８に示すように、略矩形状をした金属製平板からなる基部１５ａを有している。
図６に示すように、レバー取付板１５は、基部１５ａの中央部分に透孔１５ｂが形成されている。
基部１５ａの一端側（図中の左側）には透孔１５ｂに近接して一対の矩形状の第１矩形孔１５ｃが、その他端側（図中の右側）には互いに所定の間隔を有する一対の略矩形状をした第２矩形孔１５ｄがそれぞれ形成されている。
【００３９】
さらに、基部１５ａには、一対の第２矩形孔１５ｄ間に配設された一対の抜止め係支部（突起部）１９と、各第２矩形孔１５ｄの内方側に面してそれぞれ配設された一対の下部回動係支部１８とからなる係支体部１７が設けられている。
すなわち、一対の下部回動係支部１８は、各第２矩形孔１５ｄの内側縁部分に略直角にそれぞれ切り起こし形成された略Ｌ字状となり、一対の抜止め係支部（突起部）１９は、突出加工により、基部１５ａ上面から一部を突き出して、透孔１５ｂ側を略直角となる破断面に形成されている。
【００４０】
図６に示すように、レバー取付板１５は、基部１５ａの側方（図６中の上下側）の隅部に、一対の下部摺動係支部１６が基部１５ａから略直角に切り起こしＬ字状に形成されている。
そして、基部１５ａの側方端（図中の上下側端部）には、基部１５ａから略直角に切り起こした切り起こし部１５ｆが各下部摺動係支部１６の図中の右方側に隣接してそれぞれ形成されている。
各切り起こし部１５ｆは、その中央部分が切り溝となり、この切り溝内に舌片１５ｇが下方に向けて延設するとともに、外方に僅かに突出している。
さらに、レバー取付板１５は、基部１５ａの側方端（図６中の上下方向の端部）に、切り起こし部１５ｆに隣接して抜け止め用の突片１５ｈを一体形成している。
【００４１】
次に、スイッチ部材３０は、図１および図２２に示すように、上方に弾性を有するラバーキャップ３１を備えた、いわゆるメンブレンスイッチで構成されている。
上記スイッチ部材３０は、絶縁性のフィルムシート３３と、フィルムシート３３上に複数のスイッチ素子の一部である、いわゆる一対の固定電極（図示せず）とを有している。
【００４２】
上記ラバーキャップ３１は、ドーム状の内部の天井部分に下方に突出した押圧突起３１ａが形成され、この押圧突起３１ａの先端部分に、導電性の膜からなる可動電極３２が印刷などにより形成され、上記一対の固定電極と当接してスイッチングするようになっている。
そして、ラバーキャップ３１は、押圧突起３１ａの可動電極３２が図示しない固定電極と対向するように、その下端部分がフィルムシート３３上に接着剤などで貼り付けられている。
【００４３】
なお、レバー取付板１５上面には、矩形状をした複数の開口部３７ａを有する金属製の保持プレート３７が重ねて取付けられ、この開口部３７ａからレバー取付板１５の一対の下部摺動係支部１６、一対の下部回動係支部１８および抜止め係支部（突起部）１９、さらにレバー取付板１５に取り付けられたリンク部材２０とがそれぞれ上方に向けて突出するようになっている。
また、フィルムシート３３の下方にはメタルプレート４０が重ねて配置されている。
【００４４】
次に、このように構成されたキースイッチ装置の組み立て方法を図２１Ａ，２１Ｂ乃至図２５に基づいて以下に説明する。
先ず、図２１Ａ、２１Ｂに示すように、第１レバー（外側レバー）２４の各係合溝２４ｄと第２レバー（内側レバー）２５の各係合軸２５ｄとが係合するように、第２レバー２５に第１レバー２４を上方から被せて、互いに交差部位Ｓを回転自在に連結したレバー部材２３を組み立てる。
【００４５】
続いて、アクチュエータ部材２６を準備し、レバー部材２３である第１，第２レバー２４，２５のうち、第２レバー２５の中央開口部分にアクチュエータ部材２６の係合突起２６ｔ側を潜らせるとともに、この状態で、第２レバー２５の基端部２５ａを上部摺動受け部２６ｃ内に当接させる。そして、係止突起２６ｄを第１レバー２４の支持受け部２４ｅに上方から下方に移動させて、係止突起２６ｄの長溝部２６ｇを支持受け部２４ｅにスナップインさせて嵌着する。このようにして、リンク部材２０を完成させる。
【００４６】
次に、図２３Ａに示すように、レバー取付板１５を準備して、このレバー取付板１５上面にリンク部材２０を上方から挿入する。リンク部材２０の第１レバー２４，第２レバー２５が水平方向に互いに重なり合った状態で、レバー取付板１５上面にリンク部材２０を載置する
そして、図２３Ｂに示すように、リンク部材２０の第１、第２レバー２４，２５が水平方向に互いに重なり合った状態で、レバー取付板１５の基部１５ａ上面にリンク部材２０を摺接させながら図示のＭ方向へ移動させる。すると、第１レバー２４の各係支ピン２４ｃが下部摺動係支部１６内に摺動可能に係合する。
なお、図２４に示すように、リンク部材２０がレバー取付板１５の基部１５ａ上面に対して斜めの状態になっている場合、または斜め後方（図２３Ａ中の右側上方）から直接係支ピン２４ｃを下部摺動係支部１６内に挿入する場合であっても、第１レバー２４の斜め形状をした傾斜面部２４ｕに沿って挿入することにより、何ら抵抗力が生じることなくスムーズにリンク部材２０が挿入される。
【００４７】
また、アクチュエータ部材２６の自由端である上部摺動受け部２６ｃは、第１レバー２４の支持受け部２４ｅに丸溝２６ｇを介して回動可能に軸支されていることにより、この組み込み時に傾斜面部２６ｕがレバー取付板１５の基部１５ａ上面を摺動するが，斜めにカットして面取りがされているのでスムーズにリンク部材２０が挿入される。
また、第２レバー２５の基軸部２５ｃは、レバー取付板１５の一対の抜止め係支部１９を摺接しながら乗り越え、この基軸部２５ｃが下部回動係支部１８と抜止め係支部１９の破断面間に挟持された状態で位置するとともに、下部回動係支突起２５ｅが下部回動係支部１８内に係合する。
このようにして、レバー取付板１５にリンク部材２０の第１、第２レバー２４，２５の下端部が取り付けられる。
【００４８】
次に、リンク部材２０が取付られたレバー取付板１５を保持プレート３７の開口部３７ａに向けて下方から挿入し、レバー取付板１５に切り起こし部１５ｆをスナップインさせて係合する。
続いて、あらかじめラバーキャップ３１の下端部分を接着剤などで貼り付けたフィルムシート３３を保持プレート３７の下方に配設し、アクチュエータ部材２６のラバーキャップ当接部２６ｂにラバーキャップ３１の頂部を当接させた状態でフィルムシート３３を保持プレート３７に重ね合わせし、さらにそのフィルムシート３３の下方にメタルプレート４０を重ねて取り付ける（図２２参照）。
【００４９】
次に、キートップ１１を準備して、このキートップ１１を保持プレート３７の開口部３７ａから露出したリンク部材２０の上方から被せる。
このとき、ラバーキャップ３１の弾性力により図１に示す上昇位置状態となっているリンク部材２０に対し、第１リブ１１ｊおよび一対の第２リブ１１ｈがキートップ１１を挿入する際のガイドとなり、キートップ１１を上方から押圧する。すると、図３に示すように、一方の第１係止部１１ｆ間にアクチュエータ部材２６の係合突起２６ｔが嵌入するとともに、キートップ１１の各第１の係止部１１ｆが係合受け部２６ｓにスナップインされ、他方の第２係止部１１ｇ間にアクチュエータ部材２６の係止突起２６ｄが配置されるとともに、キートップ１１の各第２係止部１１ｇが係止受け部２４ｆにスナップインされる（図３および図２５参照）。
【００５０】
その後、ラバーキャップ３１がその弾性力により復帰し、リンク部材２０が上昇され、この上昇に応じて第１レバー２４の係支ピン２４ｃの摺接部２４ｃ１が先端部２４ｃ２でガイドされながら下部摺動係支部１６に確実に摺動する、図１に示すキースイッチ装置が完成する。
【００５１】
以上、本発明の一実施形態について説明してきたが、本発明は上記実施形態に限定されることはなく、その主旨を逸脱しない範囲内において変更して実施することができる。
【００５２】
以上のように構成され、組み立てられた本実施形態のキースイッチ装置は、以下に示す効果を奏する。
１）  アクチュエータ部材２６には、上方が開放された凹状の長溝２６ｍを有する摺動係支受け部２６ｃが形成されて、この摺動係支受け部２６ｃに第２レバー２５の基端部２５ａを摺動可能に係支したことにより、アクチュエータ部材２６により第１、第２レバー２４，２５を所定の交差角度を保持した状態でキートップ１１を容易に挿着することができる。
【００５３】
２）  第１レバー２４の基端部２４ａには、その中央にアクチュエータ部材２６の一端部を係支する支持受け部２４ｅが形成され、この支持受け部２４ｅの両端側にキートップ１１の係止部１１ｇを係止させる係止受け部２４ｆが形成され、キートップ１１の係止部１１ｇと第１レバー２４の係止受け部２４ｆとを対向させて係止する、この部分の断面を二つ巴形状に形成したことにより、キートップ１１に誤って外力が加わってもリンク部材２０からキートップ１１が簡単に抜けないように強固に握持することができる。
【００５４】
３）キートップ１１の係止部は、裏面１１ｄに突出形成された、一対の第１係止部１１ｆおよび一対の第２係止部１１ｇとからなり、キートップ１１の裏面１１ｄには、互いに対向する第２係止部１１ｇの外方側の近傍に裏面１１ｄに突出形成された一対の第１リブ１１ｊと、第１係止部１１ｆ間を除く第１係止部１１ｆの近傍に、第１リブ１１ｊと平行方向に延設された第２リブ１１ｈとを備え、第１リブ１１ｊと第２リブ１１ｈとにより、第１レバー２４の一対の腕部２４ｂ、アクチュエータ部材２６の他端部をそれぞれガイドしてキートップ１１を挿着するようにしたことにより、従来のように、おおよその見当を付けて挿着しなくても、必ず第１リブ１１ｊ、第２リブ１１ｈをガイドにしてキートップ１１を簡単に、且つ確実に挿着することができる。
【００５５】
４）  アクチュエータ部材２６は、一端部が第１レバー２４の基端部２４ａを回動可能に軸支し、アクチュエータ部材２６の他端部の下部隅部を斜めにカット形成したことにより、レバー取付板１５の基部１５ａ上面に摺接させながら組み込んだ際にスムーズに組み込みすることができる。
【００５６】
５）  レバー取付板１５の係支部は、第１レバー２４の下端部を摺動可能に係支する下部摺動係支部１６と、第２レバー２５の下端部を回動可能に軸支する係支体部１７とからなり、第１レバー２４の下端部には、下部摺動係支部１６から第１レバー２４の下端部を抜止めするための抜止め部である係支ピン２４ｃを形成したことにより、キートップ１１を押圧して操作すると、摺動する第１レバー２４が樹脂製によって撓んだり、経時変化したとしても、抜けることなく確実に所定の動きをさせることができる。
【００５７】
６）  第１レバー２４の下端部は、レバー取付板１５の基部１５ａ上面を摺動する端面を各腕部２４ｂの延長方向に対して鋭角となるように斜めにカット形成したことにより、第１レバー２４をレバー取付板１５の基部１５ａ上面に摺接させながら組み込んだ際にスムーズに組み込みすることができる。
【００５８】
【発明の効果】
以上のように説明してきた本発明のキースイッチ装置は、裏面に係止部が形成されたキートップと、キートップの下方に配置され、基端部と該基端部の両端から延設された互いに対向する一対の腕部とをそれぞれ有し、一対の腕部の略中央部分を交差部位として回動自在に連結した第１レバーおよび第２レバーと、第１、第２レバーの各下端部を係支可能なレバー取付板と、第１、第２レバーの各基端部間に跨って取付けられたアクチュエータ部材と、を備え、アクチュエータ部材には、上方が開放された凹状の摺動係支受け部が形成されて、該摺動係支受け部に第２レバーの基端部を摺動可能に係支したことにより、アクチュエータ部材により第１、第２レバーを所定の交差角度で保持した状態でキートップを簡単に挿着することができる。
【００５９】
また、レバー取付板の係支部は、第１レバーの下端部を摺動可能に係支する下部摺動係支部と、第２レバーの下端部を回動可能に軸支する係支体部とからなり、第１レバーの下端部には、下部摺動係支部から第１レバーの下端部を抜止めするための抜止め部を形成したことにより、キートップへの上下方向への押圧により左右方向に摺動する第１レバーが樹脂製によって撓んだり、経時変化したとしても、抜けることなく確実に所定の動きをさせることができる。
【００６０】
また、第１、第２レバーは、キートップの上下動を案内支持する、基端部と該基端部の両端から延設された互いに対向する一対の腕部とをそれぞれ有し、レバー取付板の係支部は、第１レバーの下端部を摺動可能に係支する下部摺動係支部と、第２レバーの下端部を回動可能に軸支する係支体部とからなり、第１レバーの下端部は、レバー取付板の上面を摺動する端面を各腕部の延長方向に対して鋭角となるように斜めにカット形成したことにより、第１レバーをレバー取付板の上面に摺接させながら組み込んだ際にスムーズに組み込みすることができる。
【図面の簡単な説明】
【図１】本発明の一実施形態であるキースイッチ装置の断面図である。
【図２】本発明の一実施形態であるキースイッチ装置のキートップを除いた平面図である。
【図３】本発明の一実施形態であるキースイッチ装置のキートップの裏面側から見た一部平面図である。
【図４】本発明の一実施形態であるキースイッチ装置のキートップの裏面図である。
【図５】図４におけるキートップの断面図である。
【図６】本発明の一実施形態であるキースイッチ装置のレバー取付板の平面図である。
【図７】図６におけるレバー取付板の７−７線における矢視図である。
【図８】図６におけるレバー取付板の８−８線における矢視図である。
【図９】本発明の一実施形態であるキースイッチ装置の外側レバーの平面図である。
【図１０】図９における外側レバーの正面図である。
【図１１】図１０における外側レバーの一部拡大図である。
【図１２】図９における外側レバーの背面図である。
【図１３】図９における外側レバーの側面図である。
【図１４】図９における外側レバーの矢視線１４−１４における断面図である。
【図１５】図９における外側レバーの矢視線１５−１５における矢視図である。
【図１６】図１５における外側レバーの一部拡大断面図である。
【図１７】図９における外側レバーの裏面図である。
【図１８】図１７における外側レバーの矢視線１８−１８における矢視図である。
【図１９】図１９Ａは、本発明の一実施形態であるキースイッチ装置の内側レバーの平面図である。図１９Ｂは、上記内側レバーの側面図である。
【図２０】図２０Ａは、本発明の一実施形態であるキースイッチ装置のアクチュエータ部材の平面図である。図２０Ｂは、上記アクチュエータ部材の矢視線２０Ｂ−２０Ｂにおける断面図である。
【図２１】図２１Ａは、本発明の一実施形態であるキースイッチ装置のリンク部材の組み立てを説明するための一部平面図である。図２１Ｂは、上記リンク部材の背面図である。
【図２２】本発明の一実施形態であるキースイッチ装置のキートップを外した状態での一部平面図である。
【図２３】図２３Ａ、Ｂ、Ｃは、本発明の一実施形態であるキースイッチ装置のリンク部材の組み立てを説明するための説明図であり、図２３Ａは、レバー取付板へリンク部材２０を組み込む前の状態を示す説明図、図２３Ｂは、レバー取付板へリンク部材を搭載した状態を説明するための説明図、図２３Ｃは、レバー取付板へリンク部材を組み込んだ状態を説明するための説明図である。
【図２４】本発明の一実施形態であるキースイッチ装置において、レバー取付板へリンク部材２０を組み込む動作の一例を説明するための説明図である。
【図２５】本発明の一実施形態であるキースイッチ装置において、リンク部材へのキートップの組み込みを説明するための説明図である。
【図２６】従来のキースイッチ装置の断面図である。
【図２７】従来のキースイッチ装置の分解斜視図である。
【図２８】従来のキースイッチ装置に用いられる一方のリンク部材の平面図である。
【図２９】従来のキースイッチ装置に用いられる他方のリンク部材の平面図である。
【符号の説明】
１１  キートップ
１１ｆ  第１係止部
１１ｇ  第２係止部
１１ｊ  第１リブ
１１ｈ  第２リブ
１５  レバー取付板
１６  下部摺動係支部（係支部）
１７  係支体部（係支部）
２４  第１レバー
２４ａ  基端部
２４ｂ  腕部
２４ｃ  係支ピン（抜止め部）
２４ｅ  支持受け部
２４ｆ  係止受け部
２５  第２レバー
２５ａ  基端部
２５ｂ  腕部
２６  アクチュエータ部材
２６ｃ  摺動係支受け部
３０  スイッチ部材
３７  保持プレート
Ｓ  交差部位
【図１】
0004109840.tif 000002
【図２】
0004109840.tif 000003
【図３】
0004109840.tif 000004
【図４】
0004109840.tif 000005
【図５】
0004109840.tif 000006
【図６】
0004109840.tif 000007
【図７】
0004109840.tif 000008
【図８】
0004109840.tif 000009
【図９】
0004109840.tif 000010
【図１０】
0004109840.tif 000011
【図１１】
0004109840.tif 000012
【図１２】
0004109840.tif 000013
【図１３】
0004109840.tif 000014
【図１４】
0004109840.tif 000015
【図１５】
0004109840.tif 000016
【図１６】
0004109840.tif 000017
【図１７】
0004109840.tif 000018
【図１８】
0004109840.tif 000019
【図１９】
0004109840.tif 000020
【図２０】
0004109840.tif 000021
【図２１】
0004109840.tif 000022
【図２２】
0004109840.tif 000023
【図２３】
0004109840.tif 000024
【図２４】
0004109840.tif 000025
【図２５】
0004109840.tif 000026
【図２６】
0004109840.tif 000027
【図２７】
0004109840.tif 000028
【図２８】
0004109840.tif 000029
【図２９】
0004109840.tif 000030